(57)【要約】【課題】リード線を結束部に挿入すると同時に結束部がロックされ、一つの動作でリード線を結束し固定するリードクランパーを提供する。【解決手段】リード線７を結束部１に挿入し、レバー４を押し下げながらさらにリード線７を押し下げると、レバー４の動作に連動して結束部１の両先端のロック用爪２とロック用孔３も下方に下がってくる。その動作によりロック用爪２がロック用孔３に入り込む。ロック用爪２がロック用孔３に完全に入り込んだ後に、リード線７に加えていた力を解放すると、結束部１の両先端のロック用爪２とロック用孔３が上方へ反発して完全にロックされ、リード線を結束部に挿入する動作だけで、リード線を機械的に固定できる。【選択図】図１
2008098421.tif 000002
【特許請求の範囲】
【請求項１】
リード線を結束する結束部と、
前記結束部の一端に備えられた爪部と、
前記結束部の他の一端に備えられ、前記爪部と結合しロックする孔部と、
前記結束部に両端が固定され、リード線が前記結束部に挿入されると前記爪部と前記孔部をロックするように動作させるレバーとを備えたリードクランパー。
【請求項２】
前記結束部をロックする爪部と孔部は、リード線を前記結束部に挿入する際に前記リード線によって押し下げられた前記レバーの動きに連動して固定されることを特徴とする請求項１記載のリードクランパー。
【請求項３】
リード線が前記結束部に挿入されると、前記レバー部及び前記結束部の弾性力により、前記爪部と前記孔部がロックすることを特徴とする請求項１に記載のリードクランパー。
【請求項４】
リード線を結束する結束部と、
前記結束部の一端に備えられた爪部と、
前記結束部の他の一端に備えられ、前記爪部と結合しロックする孔部と、
前記結束部に備えられ、リード線を固定するレバーとを備え、
前記レバーにリード線を固定した後、前記結束部に挿入すると前記爪部と前記孔部がロックされることを特徴とするリードクランパー。
【発明の詳細な説明】
【技術分野】
【０００１】
本発明は電子機器内のリード線を結束するためのリードクランパーに関する。
【背景技術】
【０００２】
従来、テレビ等の電子機器内のリード線を結束する際には、結束部がリング状になったリードクランパーで結束しているが、リード線を結束部に挿入した後に、結束部の上部両端をひねって結束部を固定している（例えば、特許文献１に記載）。図３に従来のリードクランパーの一例を示す。図３は従来のリードクランパーを示した正面図である。図３において、リード線を結束部１に挿入し、その後に結束部固定湾曲部９を交差させるように先端をひねり、結束部の先端のリング先端球形状１０によってロックさせ、リード線が結束部１から抜けないように機械的に固定するようにしていた。
【特許文献１】実開昭６２−５８０８８号公報
【発明の開示】
【発明が解決しようとする課題】
【０００３】
ところが、リード線を機械的に固定するためには、リード線を結束部に挿入した後に、結束部の先端をひねってロックさせる必要があり、その間にリード線が結束部から抜けてこないようにリード線を押えている必要があるという課題があった。
【０００４】
本発明は、上述のような従来技術の問題に鑑み、リード線を結束部に挿入すると同時に結束部がロックされ、一つの動作でリード線を結束し固定するリードクランパーを提供することを目的とする。
【課題を解決するための手段】
【０００５】
上記目的を達成するために、本発明によるリードクランパーは、リード線を結束する結束部と、結束部をロックする爪と、前記爪のかかる孔と、前記結束部を閉じる為のレバーと、前記結束部本体を取り付ける為のフックを備えるものである。
【０００６】
このリードクランパーによれば、リード線を結束部に挿入する際に、リード線がレバーを押し下げ、それに連動して結束部をロックする爪と爪のかかる孔が下降して、結束部をロックする爪が結束部先端の孔に挿入されことにより、結束部先端が爪によりロックされ、リード線を結束部に挿入する動作だけで、リード線を機械的に固定できるリードクランパーを提供することができる。
【発明の効果】
【０００７】
本発明によれば、リード線を結束部に挿入すると同時に結束部がロックされ、一つの動作でリード線を結束し固定するリードクランパーを提供することができる。
【発明を実施するための最良の形態】
【０００８】
以下本発明を実施するための最良の形態について、図面を参照しながら説明する。
【０００９】
（実施の形態１）
図１は本発明の実施の形態１におけるリードクランパーの構成を示す斜視図であって、図１（ａ）は本実施の形態による動作前の斜視図であり、図１（ｂ）は動作後の斜視図である。
【００１０】
まず、図１（ａ）を用いて各構成要素の説明をする。
【００１１】
結束部１の先端にそれぞれロック用爪２とロック用孔３を有し、結束部１の中にレバー４が形成されている。また、結束部１の下部に本リードクランパーをプリント基板や電子機器内部の構成部品に取り付けて固定するためのストッパー５とフック６を備えている。
【００１２】
リード線７を結束部１に挿入し、レバー４を押し下げながらさらにリード線７を押し下げると、レバー４の動作に連動して、レバー４及び結束部１の弾性力により、結束部１の両先端のロック用爪２とロック用孔３も下方に下がってくる。その動作によりロック用爪２がロック用孔３に入り込む。
【００１３】
図１（ｂ）は、上述の動作後のリードクランパーの図であるが、ロック用爪２がロック用孔３に完全に入り込んだ後に、リード線７に加えていた力を解放すると、結束部１の両先端のロック用爪２とロック用孔３が上方へ反発して完全にロックされる。
【００１４】
以上のように、図１のリードクランパーによれば、リード線を結束部に挿入する動作だけで、リード線を機械的に固定できる。
【００１５】
なお、リードクランパーのプリント基板や電子機器内部の構成部品に取り付けは、フックでは無く、ビスによる固定でも良い。
【００１６】
（実施の形態２）
図２は本発明の実施の形態２におけるリードクランパーの構成を示す斜視図であって、図２（ａ）は本実施の形態による動作前の斜視図であり、図２（ｂ）は動作後の斜視図である。
【００１７】
まず、図２（ａ）を用いて各構成要素の説明をする。
【００１８】
結束部１の先端にロック用爪２とロック用蓋８を有し、ロック用蓋８の先端にロック用孔３を有している。結束部１の中にレバー４が形成されている。また、結束部１の下部に本リードクランパーをプリント基板や電子機器内部の構成部品に取り付けて固定するためのストッパー５とフック６を備えている。
【００１９】
リード線７を結束部１に挿入し、レバー４を押し下げながらさらにリード線７を押し下げると、レバー４の動作に連動して結束部１の先端のロック用蓋８も下方に下がってくる。
【００２０】
図１（ｂ）は、上述の動作後のリードクランパーの図であるが、ロック用蓋８が完全に下がりきったとき、ロック用蓋８の先端に配されているロック用孔３が結束部１先端のロック用爪２にロックされる。
【００２１】
以上のように、図２のリードクランパーによれば、リード線を結束部に挿入する動作だけで、リード線を機械的に固定できる。
【００２２】
なお、リードクランパーのプリント基板や電子機器内部の構成部品に取り付けは、フックでは無く、ビスによる固定でも良い。
【産業上の利用可能性】
【００２３】
本発明にかかるリードクランパーによれば、リード線を結束部に挿入する動作だけで、リード線を機械的に固定できるので、電子機器内のリード線の配線処理に有用である。
【図面の簡単な説明】
【００２４】
【図１】本発明の実施の形態１におけるリードクランパーの斜視図
【図２】本発明の実施の形態２におけるリードクランパーの斜視図
【図３】従来のリードクランパーの正面図
【符号の説明】
【００２５】
１    結束部
２    ロック用爪
３    ロック用孔
４    レバー
５    ストッパー
６    フック
７    リード線
８    ロック用蓋
９    結束部固定湾曲部
１０    リング先端球形状
【図１】
2008098421.tif 000003
【図２】
2008098421.tif 000004
【図３】
2008098421.tif 000005